(57)【特許請求の範囲】
【請求項１】
ファクシミリまたはインターネットファクシミリの受信ファクシミリを記憶装置に格納するとともに、受信拒否リストに登録されている受信拒否送信元からのファクシミリまたはインターネットファクシミリの受信を拒否するファクシミリ制御部と、
受信拒否リストに対して受信拒否送信元を登録する受信拒否リスト管理部と、
前記記憶装置に記憶されている前記受信ファクシミリの受信ファクシミリリストを表示装置に表示させるとともに、ユーザー操作に基づいて前記受信ファクシミリの画像を前記表示装置に表示させるか印刷装置に印刷させる受信ファクシミリ管理部と、
を備え、
前記受信拒否リスト管理部は、（ａ）前記受信ファクシミリリスト内で所定回数表示されても前記受信ファクシミリの画像の表示または印刷が実行されていないか（ｂ）前記受信ファクシミリリストの表示から所定時間が経過しても前記受信ファクシミリの画像の表示または印刷が実行されていない前記受信ファクシミリの送信元を受信拒否送信元として検出し、検出した前記送信元を前記受信拒否リストに登録すること、
を特徴とする画像形成装置。
【請求項２】
前記受信拒否リスト管理部は、前記所定時間が経過するまでに当該画像形成装置において障害が発生された場合、前記障害が検出されてから除去されるまでの時間分、前記所定時間を長くすることを特徴とする請求項１記載の画像形成装置。
【請求項３】
前記受信拒否リスト管理部は、所定のユーザー不在期間分、前記所定時間を長くすることを特徴とする請求項１記載の画像形成装置。
【請求項４】
前記受信拒否リスト管理部は、前記受信ファクシミリの送信元のうち、検出した前記受信拒否送信元と一文字違いの前記送信元を受信拒否候補として前記表示装置に表示させ、ユーザー操作によって選択された前記受信拒否候補を前記受信拒否リストに登録することを特徴とする請求項１記載の画像形成装置。
【請求項５】
前記受信拒否リスト管理部は、前記受信拒否リストに前記受信拒否送信元を登録する前に、所定件数の前記受信拒否送信元が検出された時点で、前記受信拒否送信元のリストを前記表示装置に表示させ、前記リストからユーザー操作によって選択された前記受信拒否送信元を前記受信拒否リストに登録し、前記リストからユーザー操作によって選択されなかった前記受信拒否送信元を前記受信拒否リストに登録しないことを特徴とする請求項１記載の画像形成装置。
【発明の詳細な説明】
【技術分野】
【０００１】
本発明は、画像形成装置に関するものである。
【背景技術】
【０００２】
受信データを記憶装置に蓄積するファクシミリ装置では、ファクシミリまたはインターネットファクシミリで送信されてくる迷惑ファクシミリによって、記憶装置の空き容量が消費されてしまっている。
【０００３】
あるファクシミリ装置は、メモリー受信した受信ファクシミリを記録媒体に記録せずに消去した場合、ユーザー操作に基づいて、その受信ファクシミリの送信元からのファクシミリ受信を拒否している（例えば特許文献１参照）。
【先行技術文献】
【特許文献】
【０００４】
【特許文献１】特開平５−３０８４９９号公報
【発明の概要】
【発明が解決しようとする課題】
【０００５】
しかしながら、上述の技術では、ユーザーが受信ファクシミリをプレビュー表示して確認した後に消去した場合、その受信ファクシミリの送信元が、迷惑ファクシミリの送信元ではないにも拘わらず、誤って受信拒否リストに登録されてしまう。
【０００６】
本発明は、上記の問題に鑑みてなされたものであり、迷惑ファクシミリ以外のファクシミリの送信元が誤って受信拒否リストに登録されにくい画像形成装置を得ることを目的とする。
【課題を解決するための手段】
【０００７】
本発明に係る画像形成装置は、ファクシミリまたはインターネットファクシミリの受信ファクシミリを記憶装置に格納するとともに、受信拒否リストに登録されている受信拒否送信元からのファクシミリまたはインターネットファクシミリの受信を拒否するファクシミリ制御部と、受信拒否リストに対して受信拒否送信元を登録する受信拒否リスト管理部と、前記記憶装置に記憶されている前記受信ファクシミリの受信ファクシミリリストを表示装置に表示させるとともに、ユーザー操作に基づいて前記受信ファクシミリの画像を前記表示装置に表示させるか印刷装置に印刷させる受信ファクシミリ管理部と、を備える。そして、前記受信拒否リスト管理部は、（ａ）前記受信ファクシミリリスト内で所定回数表示されても前記受信ファクシミリの画像の表示または印刷が実行されていないか（ｂ）前記受信ファクシミリリストの表示から所定時間が経過しても前記受信ファクシミリの画像の表示または印刷が実行されていない前記受信ファクシミリの送信元を受信拒否送信元として検出し、検出した前記送信元を前記受信拒否リストに登録する。
【発明の効果】
【０００８】
本発明によれば、迷惑ファクシミリ以外のファクシミリの送信元が誤って受信拒否リストに登録されにくい画像形成装置を得ることができる。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る画像形成装置の構成を示すブロック図である。
【図２】図２は、受信ファクシミリリストの表示画面の一例を示す図である。
【発明を実施するための形態】
【００１１】
以下、図に基づいて本発明の実施の形態を説明する。
【００１２】
図１は、本発明の実施の形態に係る画像形成装置の構成を示すブロック図である。図１に示す画像形成装置１は、インターネットファクシミリ機能およびファクシミリ機能を有する。
【００１３】
図１に示すように、この画像形成装置１は、操作パネル１１、通信装置２１、印刷装置２２、画像読取装置２３、ファクシミリ装置２４、演算処理装置２５、および記憶装置２６を備える。
【００１４】
操作パネル１１は、液晶ディスプレイなどの表示装置、およびタッチパネルなどの入力装置を備え、ユーザーに対する操作画面の表示およびユーザー操作の検出を行う。
【００１５】
また、通信装置２１は、コンピューターネットワークを介して、システム内の他の装置に接続可能であって、所定の通信プロトコルでデータ通信を行う装置である。通信装置２１は、コンピューターネットワークに接続されており、そのコンピューターネットワーク上のメールサーバーと通信可能であり、メールサーバーを介して、インターネットファクシミリとしてコンピューターネットワークを介して画像データを送受する。
【００１６】
また、印刷装置２２は、例えば電子写真方式で原稿画像を印刷用紙に印刷する内部デバイスである。印刷装置２２は、元の画像データに対して、ラスタライズ、色変換、スクリーン処理などの所定の画像処理を施して生成された出力画像データに基づき印刷を行う。
【００１７】
また、画像読取装置２３は、原稿から原稿画像を光学的に読み取り、原稿画像の画像データを生成する内部デバイスである。
【００１８】
また、ファクシミリ装置２４は、ファクシミリとして、電話回線を介して画像データを送受する。
【００１９】
以下、インターネットファクシミリまたはファクシミリとして受信した画像データを受信ファクシミリという。
【００２０】
また、演算処理装置２５は、ＣＰＵ（Central Processing Unit）、ＲＯＭ（Read Only Memory）、ＲＡＭ（Random Access Memory）などを有するコンピューターであり、ＲＯＭなどに記憶されているプログラムをＲＡＭへロードし、そのプログラムをＣＰＵで実行することにより、各種処理部を実現する。演算処理装置２５では、ファクシミリ制御部３１、受信拒否リスト管理部３２、および受信ファクシミリ管理部３３が実現される。
【００２１】
また、記憶装置２６は、フラッシュメモリーなどの不揮発性の記憶装置であって、ファクシミリおよびインターネットファクシミリについての、受信ファクシミリ、アドレス帳、送信履歴、受信履歴、受信拒否リストなどを格納する。
【００２２】
受信拒否リストは、ファクシミリおよびインターネットファクシミリの受信拒否送信元を含む。ファクシミリの場合の受信拒否送信元は、電話番号で示され、インターネットファクシミリの場合の受信拒否送信元は、メールアドレスで示される。
【００２３】
ファクシミリ制御部３１は、ファクシミリ装置２４または通信装置２１から受信ファクシミリを取得し、取得した受信ファクシミリを記憶装置２６に格納するとともに、ファクシミリ装置２４または通信装置２１を使用して、受信拒否リストに登録されている送信元からのファクシミリまたはインターネットファクシミリの受信を拒否する。
【００２４】
つまり、ファクシミリ制御部３１は、ファクシミリについては、ファクシミリ装置２４への着呼の時点で、受信拒否リストに登録されている受信拒否送信元からの呼に対する接続をファクシミリ装置２４において確立しないか、接続を確立した後ただちに切断する。また、ファクシミリ制御部３１は、インターファクシミリについては、受信拒否リストに登録されている送信元からのインターネットファクシミリをメールサーバーからダウンロードせずに破棄する。
【００２５】
受信拒否リスト管理部３２は、受信拒否リストに対して受信拒否送信元を登録する。
【００２６】
受信ファクシミリ管理部３３は、記憶装置２６に記憶されている受信ファクシミリの受信ファクシミリリストを操作パネル１１の表示装置に表示させるとともに、ユーザー操作に基づいて受信ファクシミリの画像を操作パネル１１の表示装置に表示させるか印刷装置２２に印刷させる。
【００２７】
受信拒否リスト管理部３２は、（ａ）受信ファクシミリリスト内で所定回数表示されても受信ファクシミリの画像の表示または印刷が実行されていないか（ｂ）受信ファクシミリリストの表示から所定時間が経過しても受信ファクシミリの画像の表示または印刷が実行されていない受信ファクシミリの送信元を受信拒否送信元として検出し、検出した送信元を受信拒否リストに登録する。
【００２８】
具体的には、各受信ファクシミリに関連付けて、（ａ）その受信ファクシミリの画像表示または画像印刷が実行されたか否かを示す閲覧フラグ、（ｂ）その受信ファクシミリが受信ファクシミリリスト内で表示された表示回数、および（ｃ）その受信ファクシミリが初めて受信ファクシミリリスト内で表示された日時を示す初回リスト表示時点が、記憶装置２６に格納される。
【００２９】
受信ファクシミリ管理部３３は、（ａ）受信ファクシミリの画像表示または画像印刷が実行された場合、その受信ファクシミリの閲覧フラグの値を、閲覧済みを示す値へ変更し、（ｂ）その受信ファクシミリが受信ファクシミリリスト内で表示されるたびに、表示回数を１ずつ増加させていく、（ｃ）その受信ファクシミリが初めて受信ファクシミリリスト内で表示された際に、現在時刻を特定し、初回リスト表示時点にセットする。
【００３０】
そして、受信拒否リスト管理部３２は、その閲覧フラグ、表示回数および初回リスト表示時点に基づいて、受信拒否送信元を検出する。
【００３１】
なお、受信拒否リスト管理部３２は、（ａ）受信拒否送信元を検出すると、ただちに、その受信拒否送信元を自動的に受信拒否リストに登録してもよいし、（ｂ）受信拒否リストに受信拒否送信元を登録する前に、所定件数の受信拒否送信元が検出された時点で、受信拒否送信元のリストを操作パネル１１の表示装置に表示させ、そのリストから操作パネル１１の入力装置に対するユーザー操作によって選択された受信拒否送信元を受信拒否リストに登録し、そのリストからユーザー操作によって選択されなかった受信拒否送信元を受信拒否リストに登録しないようにしてもよい。
【００３２】
次に、当該実施の形態に係る画像形成装置１の動作について説明する。
【００３３】
ファクシミリ制御部３１は、ファクシミリまたはインターネットファクシミリの受信時において、受信拒否リストに登録されている送信元からのファクシミリまたはインターネットファクシミリの受信を拒否する。
【００３４】
一方、受信を拒否しない場合、ファクシミリ制御部３１は、ファクシミリ装置２４または通信装置２１から受信ファクシミリを取得し、取得した受信ファクシミリを記憶装置２６に格納する。この実施の形態では、その際、受信ファクシミリの画像は、自動的に印刷されない。
【００３５】
その後、ユーザーは、操作パネル１１に対して所定のユーザー操作を行って、操作パネル１１に、受信ファクシミリリストを表示させる。その際、受信ファクシミリ管理部３３は、そのユーザー操作に従って、記憶装置２６に格納されている受信ファクシミリについての受信ファクシミリリストを操作パネル１１に表示する。
【００３６】
図２は、受信ファクシミリリストの表示画面の一例を示す図である。図２に示すように、画面６１において、受信ファクシミリリストとともに、印刷キー６２、表示キー６３、および削除キー６４が表示される。
【００３７】
例えば、ユーザーは、スクロールキーでカーソルを移動させて、受信ファクシミリリスト内の受信ファクシミリを選択することができる。
【００３８】
印刷キー６２が押下されると、受信ファクシミリ管理部３３は、受信ファクシミリリスト内で選択されている受信ファクシミリを特定し、特定した受信ファクシミリを記憶装置２６から読み出し、その受信ファクシミリの画像を印刷装置２２に印刷させる。その受信ファクシミリの画像が印刷されると、受信ファクシミリ管理部３３は、閲覧フラグが、未閲覧を示す値であれば、閲覧フラグを閲覧済を示す値へ変更する。
【００３９】
表示キー６３が押下されると、受信ファクシミリ管理部３３は、受信ファクシミリリスト内で選択されている受信ファクシミリを特定し、特定した受信ファクシミリを記憶装置２６から読み出し、その受信ファクシミリの画像を操作パネル１１の表示装置に表示させる。その受信ファクシミリの画像が表示されると、受信ファクシミリ管理部３３は、閲覧フラグが、未閲覧を示す値であれば、閲覧フラグを閲覧済を示す値へ変更する。
【００４０】
削除キー６４が押下されると、受信ファクシミリ管理部３３は、受信ファクシミリリスト内で選択されている受信ファクシミリを特定し、特定した受信ファクシミリを記憶装置２６から削除する。
【００４１】
また、受信ファクシミリ管理部３３は、受信ファクシミリリストの表示時点において、（ａ）受信ファクシミリリスト内の受信ファクシミリについての表示回数を更新するとともに、（ｂ）初めて受信ファクシミリリスト内で表示された受信ファクシミリについて初回リスト表示時点をセットする。
【００４２】
他方、受信拒否リスト管理部３２は、定期的に、または所定のタイミングで、以下の処理を実行する。
【００４３】
受信拒否リスト管理部３２は、受信ファクシミリリスト内で所定回数リスト表示されても受信ファクシミリの画像の表示または印刷が実行されていない受信ファクシミリ（つまり、閲覧フラグが未閲覧の値を有し、かつ表示回数が所定回数以上である受信ファクシミリ）を検出する。
【００４４】
また、受信拒否リスト管理部３２は、受信ファクシミリリストのリスト表示から所定時間が経過しても受信ファクシミリの画像の表示または印刷が実行されていない受信ファクシミリ（つまり、閲覧フラグが未閲覧の値を有し、かつ初回リスト表示時点から所定時間が経過している受信ファクシミリ）を検出する。
【００４５】
そして、受信拒否リスト管理部３２は、検出した送信元を受信拒否送信元として受信拒否リストに登録する。
【００４６】
以上のように、上記実施の形態によれば、受信ファクシミリ管理部３３は、記憶装置２６に記憶されている受信ファクシミリの受信ファクシミリリストを表示装置に表示させるとともに、ユーザー操作に基づいて受信ファクシミリの画像を表示装置に表示させるか印刷装置２２に印刷させる。受信拒否リスト管理部３２は、（ａ）受信ファクシミリリスト内で所定回数表示されても受信ファクシミリの画像の表示または印刷が実行されていないか（ｂ）受信ファクシミリリストの表示から所定時間が経過しても受信ファクシミリの画像の表示または印刷が実行されていない受信ファクシミリの送信元を受信拒否送信元として検出し、検出した送信元を前記受信拒否リストに登録する。
【００４７】
これにより、迷惑ファクシミリは受信拒否リストに登録されやすく、迷惑ファクシミリ以外のファクシミリの送信元が誤って受信拒否リストに登録されにくくなる。
【００４８】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００４９】
例えば、上記実施の形態において、受信拒否リスト管理部３２は、上述の所定時間が経過するまでに当該画像形成装置１において障害（消耗品切れ、メンテナンスが実行されるまでジョブの受け付けを禁止するような事象など）が発生された場合、その障害が検出されてから除去されるまでの時間分、上述の所定時間を長くするようにしてもよい。
【００５０】
また、上記実施の形態において、受信拒否リスト管理部３２は、所定のユーザー不在期間分、上述の所定時間を長くするようにしてもよい。なお、ユーザー不在期間は、所定の夜間の時間帯、休業日などであって、受信拒否リスト管理部３２に対してユーザー操作によって設定される。
【００５１】
また、上記実施の形態において、受信拒否リスト管理部３２は、受信ファクシミリの送信元のうち、検出した受信拒否送信元と一文字違いの送信元を受信拒否候補として操作パネル１１の表示装置に表示させ、ユーザー操作によって選択された受信拒否候補を受信拒否送信元として受信拒否リストに登録するようにしてもよい。この場合、例えば、受信拒否リスト管理部３２は、受信拒否送信元を検出すると、受信履歴において、一文字違いの送信元を検索し、発見した送信先を受信拒否候補とする。
【００５２】
また、上記実施の形態において、受信拒否リスト管理部３２は、検出した前記受信拒否送信元が、ファクシミリまたはインターネットファクシミリのアドレス帳または送信履歴に登録されている場合、検出した受信拒否送信元を受信拒否リストに登録しないようにしてもよい。
【産業上の利用可能性】
【００５３】
本発明は、例えば、ファクシミリ機能およびインターネットファクシミリ機能の少なくとも一方を有する画像形成装置に適用可能である。
【符号の説明】
【００５４】
１  画像形成装置
１１  操作パネル（表示装置の一例）
２２  印刷装置
３１  ファクシミリ制御部
３２  受信拒否リスト管理部
３３  受信ファクシミリ管理部
【図１】
0006304562.tif 000002
【図２】
0006304562.tif 000003